(57)【要約】      （修正有）【課題】熱を遮断し、ベアリングを保護し、確実にベアリングを定置付けするファンの改良構造を提供する。【解決手段】台座１、軸筒２、ベアリング３、絶縁スタンド４で構成する。台座は接続部１１を具有し、軸筒は収納スペース及び収納スペース２１に通じる軸穴２２及び掛合端２３を具有し、掛合端２３は台座の接続部と嵌合し、軸筒の内部にベアリングを設置する。ベアリングは穴を具有し、絶縁スタンドを軸筒の外部に設置し、具有する収納部４１に珪素鋼シート６を設置する。珪素鋼シートと該軸筒の間に第一スペース２５を形成し、絶縁スタンドを直接軸筒の外部に嵌合し、更に絶珪素鋼シートと軸筒の間に第一スペース２５を形成する。【選択図】図２
0003156386.tif 000002
【実用新案登録請求の範囲】
【請求項１】
台座、軸筒、ベアリング、絶縁スタンドを含み、
該台座は接続部を具有し、
該軸筒は収納スペース、軸穴及び掛合端を具有し、該軸穴は該収納スペースと連通し、該掛合端は前記台座の接続部と嵌合し、該軸筒の外部に設置し、及び、
該ベアリングは少なくとも一つあり、該ベアリングは穴を具有し、前記収納スペースの内部に設置し、及び、
該絶縁スタンドは少なくとも一つあり、前記軸筒の外部に嵌合し、収納部を具有し、該収納部に珪素鋼シートを含み、該珪素鋼シートと該軸筒の間に少なくとも一つの第一スペースを形成することを特徴とするファンの改良構造。
【請求項２】
前記珪素鋼シートと絶縁スタンドの外部に複数のコイルを巻くことを特徴とする請求項１記載のファンの改良構造。
【請求項３】
前記絶縁スタンドの固定部に第一槽及び第二槽を具有し、該収納部は前記第一槽及び第二槽の間に位置することを特徴とする請求項１記載のファンの改良構造。
【請求項４】
前記台座は更に少なくとも一つのオイル貯蔵槽を具有することを特徴とする請求項１記載のファンの改良構造。
【請求項５】
前記ベアリングに軸棒を挿入し、該軸棒の一端は該軸穴及び該穴を挿入し、別端はこしきに挿入することを特徴とする請求項１記載のファンの改良構造。
【考案の詳細な説明】
【技術分野】
【０００１】
本考案はファンの改良構造に関し、特に絶縁スタンドに軸筒を組み合わせることで断熱効果を発揮し、更にベアリングを確実に固定できるファンの改良構造に関する。
【背景技術】
【０００２】
市販されている電子製品は、当該内部の電子部品が作動する際に熱を発し、高温状態が持続すると、電子部品が損壊してしまうため、通常少なくとも一つの放熱ユニット(放熱フィン或いは放熱器)及びファン装置を設置することで、電子部品の放熱を行い、使用寿命を引き伸ばす。
【０００３】
図１に示すのは、従来技術のファン装置の立体分解図である。ファン９装置は少なくとも一つのこしき９１、少なくとも一つの固定子ユニット９２、少なくとも一つのベアリング９３及び軸台９４で構成する。ベアリング９３は軸穴９３１を具有し、該軸台９４は軸筒９４１を具有し、前記ベアリング９３を収納する。こしき９１は軸棒９１１及び複数のフィン９１２を具有し、軸棒９１１を該ベアリング９３の軸穴９３１内に差し込む。該固定子ユニット９２は珪素鋼シート９２１及び複数の絶縁シート９２２を含む。固定子ユニット９２を前記軸台９４に直接嵌合して接続する。ファン９が運転する際、該固定子ユニット９２の珪素鋼シート９２１が熱を発し、該珪素鋼シート９２１が軸台９４の外部と嵌合しているため、その熱を軸台９２からベアリング９３に伝える。ベアリング９３が熱を帯びることで、ベアリング９３内部に含まれる潤滑油脂が蒸発するため、軸棒９１１とベアリング９３が摩擦し、ファン９が損壊する。従来技術は下記２点の欠点を具有する：１、寿命が短い。２、ベアリング及び軸台に熱がたまりやすい。上記を鑑みて、更なる改善が必要であった。
【先行技術文献】
【特許文献】
【０００４】
【特許文献１】実用新案登録第３１５０２７２号公報
【考案の概要】
【考案が解決しようとする課題】
【０００５】
前記構造の欠点を解決するため、本考案の第１の目的は、熱を遮断し、ベアリングを保護するファンの改良構造を提供することにある。第２の目的は、確実にベアリングを定置付けするファンの改良構造を提供することにある。
【課題を解決するための手段】
【０００６】
前記課題を解決するために、本考案はファンの改良構造を提供するものである。  それに含まれるのは台座、軸筒、少なくとも一つのベアリング、少なくとも一つの絶縁スタンドである。該台座１に接続部１１を具有し、前記軸筒２は収納スペース２１、軸穴２２及び掛合端２３を具有する。該軸穴２２は該収納スペース２１と連通し、掛合端２３は前記台座１の接続部１１と嵌合する。該ベアリング３は穴３１を具有し、前記軸筒２を収納スペース２１内に設置する。該絶縁スタンド４を前記軸筒２の外部に設置し、具有する収納部４１に少なくとも一つの珪素鋼シート６を設置し、絶縁スタンド４の固定部が直接軸筒２の掛合部と掛合し、更に絶縁スタンド４によって珪素鋼シート６を固定することで、珪素鋼シート６にて生じる熱を遮断し、ベアリング３を破壊するのを防ぐ。同時に軸筒２の内部にベアリング３を設置することで、ベアリング３を確実に定置付けし、貼合するコストを節約するだけでなく、ファンの寿命を延ばし、生産コストを下げる目的に達する。
【０００７】
すなわち、請求項1の考案は、ファンの改良構造において、台座、軸筒、ベアリング、絶縁スタンドを含み、該台座は接続部を具有し、該軸筒は収納スペース、軸穴及び掛合端を具有し、該軸穴は該収納スペースと連通し、該掛合端は前記台座の接続部と嵌合し、該軸筒の外部に設置し、及び、該ベアリングは少なくとも一つあり、該ベアリングは穴を具有し、前記収納スペースの内部に設置し、及び、該絶縁スタンドは少なくとも一つあり、前記軸筒の外部に嵌合し、収納部を具有し、該収納部に珪素鋼シートを含み、該珪素鋼シートと該軸筒の間に少なくとも一つの第一スペースを形成することを特徴とする。
【０００８】
請求項２の考案は、請求項１記載のファンの改良構造において、前記珪素鋼シートと絶縁スタンドの外部に複数のコイルを巻くことを特徴とする。
請求項３の考案は、請求項１記載のファンの改良構造において、前記絶縁スタンドの固定部に第一槽及び第二槽を具有し、該収納部は前記第一槽及び第二槽の間に位置することを特徴とする。
請求項４の考案は、請求項１記載のファンの改良構造において、前記台座は更に少なくとも一つのオイル貯蔵槽を具有することを特徴とする。
請求項５の考案は、請求項１記載のファンの改良構造において、前記ベアリングに軸棒を挿入し、該軸棒の一端は該軸穴及び該穴を挿入し、別端はこしきに挿入することを特徴とする。
【考案の効果】
【０００９】
本考案は絶縁体及び軸筒を設けることで、ベアリングを確実に定置付けし、珪素鋼シートより生じる熱を遮断することで、下記のメリットを具有する。
１、使用寿命が比較的長い。
２、ベアリングを確実に定置付けする。
３、貼合コストを節約できる。
４、ベアリングを確実に熱から守ることができる。
結果として、ファンの寿命を延ばし、生産コストを下げる。
【図面の簡単な説明】
【００１０】
【図１】従来技術におけるファン構造の立体分解図である。
【図２】本考案におけるファンの改良構造分解断面図である。
【図３】本考案におけるファンの改良構造組立断面図である。
【考案を実施するための形態】
【００１１】
本考案によるファンの改良構造の実施例を明確に示すために図に沿って詳細な説明を行う。
【００１２】
図２、及び図３に示すように、本考案におけるファンの改良構造に含まれるのは台座１、軸筒２、少なくとも一つのベアリング３、少なくとも一つの絶縁スタンド４である。該台座１に接続部１１を具有し、前記軸筒２は収納スペース２１及び収納スペース２１に通じる軸穴２２及び掛合端２３を具有する。
掛合端２３は前記台座１の接続部１１と嵌合する。該ベアリング３は穴３１を具有し、前記軸筒２を収納スペース２１内に設置する。該絶縁スタンド４を前記軸筒２の外部に設置し、該収納部４１に少なくとも一つの珪素鋼シート６を設置し、珪素鋼シート６と該軸筒２の間に少なくとも第一スペース２５を形成する。
【００１３】
絶縁スタンド４を直接軸筒２の外部に嵌合し、更に絶縁スタンド４によって珪素鋼シート６を固定することで、珪素鋼シート６と該軸筒２の間に第一スペース２５を形成する。該第一スペース２５によって、珪素鋼シート６にて生じる熱を遮断し、ベアリング３を破壊するのを防ぐ。同時に軸筒２の内部にベアリング３を設置することで、ベアリング３を確実に定置付けし、貼合するコストを節約するだけでなく、ファンの寿命を延ばし、生産コストを下げる本考案の目的に達する。
【００１４】
更に前記ベアリング３に軸棒５を挿入し、該軸棒５の一端は該軸穴２２及び穴３１に挿入し、別端は複数のフィン７１を具有するこしき７に挿入する。軸棒５及びベアリング３は該軸筒２内部に設置し、前記軸穴２２と該穴３１は連通する。前記軸筒２の掛合端２３とは軸穴２２の反対側に位置する。前記台座１は更に少なくとも一つのオイル貯蔵槽１２を具有する。
【００１５】
更に前記絶縁スタンド４は第一槽４２及び第二槽４３を具有し、前記収納部４１は第一槽４２及び第二槽４３の間に位置する。第一、第二槽４２、４３に複数のコイル２４を巻く。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
１  台座
１１  接続部
１２  オイル貯蔵槽
２  軸筒
２１  収納スペース
２２  軸穴
２３  掛合端
２４  コイル
２５  第一スペース
３  ベアリング
３１  穴
４  絶縁スタンド
４１  収納部
４２  第一槽
４３  第二槽
５  軸棒
６  珪素鋼シート
７  こしき
７１  フィン
【図１】
0003156386.tif 000003
【図２】
0003156386.tif 000004
【図３】
0003156386.tif 000005